(57)【要約】【課題】表示内容が書き換えられたか否かを容易に認識できる端末装置等を提供する。【解決手段】  表示データを受信する受信手段（２１ａ、２１ｂ）と、表示データによる表示の書き換えを行うか否かを判定する表示書換判定手段と、表示データを表示する第１表示手段（２３）と、第１表示手段の表示面を視認できる位置に表示部分を有する第２表示手段（２４）と、を備え、表示データによる表示の書き換えがあった場合に、第１表示手段に第１書換情報（２３ａ）を表示し、第２表示手段に第２書換情報を表示する。【選択図】図６
2015018322.tif 000002
【特許請求の範囲】
【請求項１】
表示データを受信する受信手段と、
前記表示データによる表示の書き換えを行うか否かを判定する表示書換判定手段と、
前記表示データを表示する第１表示手段と、
前記第１表示手段の表示面を視認できる位置に表示部分を有する第２表示手段と、
を備え、
前記表示データによる表示の書き換えがあった場合に、前記第１表示手段に第１書換情報を表示し、前記第２表示手段に第２書換情報を表示することを特徴とする端末装置。
【請求項２】
請求項１に記載の端末装置において、
前記第１表示手段に表示された第１書換情報と、第２表示手段に表示された第２書換情報とが、互いに対応する位置に表示されることを特徴とする端末装置。
【請求項３】
請求項１または請求項２に記載の端末装置において、
前記第１表示手段の表示面の外縁部に、前記第２表示手段の表示部分が設置されたことを特徴とする端末装置。
【請求項４】
請求項１から請求項３のいずれか１項に記載の端末装置において、
前記第２書換情報を受信する第２書換情報受信手段を更に備えたことを特徴とする端末装置。
【請求項５】
受信手段が、表示データを受信する受信ステップと、
表示書換判定手段が、前記表示データによる表示の書き換えを行うか否かを判定する表示書換判定ステップと、
第１表示手段が、前記表示データを表示する第１表示ステップと、
を含み、
前記表示データによる表示の書き換えがあった場合に、前記第１表示手段に第１書換情報を表示し、前記第１表示手段の表示面を視認できる位置に表示部分を有する第２表示手段に第２書換情報を表示することを特徴とする情報処理方法。
【請求項６】
コンピュータを、
表示データを受信する受信手段、
前記表示データによる表示の書き換えを行うか否かを判定する表示書換判定手段、
前記表示データを表示する第１表示手段、および、
前記第１表示手段の表示面を視認できる位置に表示部分を有する第２表示手段として機能させ、
前記表示データによる表示の書き換えがあった場合に、前記第１表示手段に第１書換情報を表示し、前記第２表示手段に第２書換情報を表示することを特徴とする端末装置用のプログラム。
【請求項７】
無線機に接続した情報処理装置と、前記無線機を通して交信を行う端末装置と、を備えた情報処理システムであって、
前記端末装置が、
表示データを前記情報処理装置から受信する受信手段と、
前記表示データによる表示の書き換えを行うか否かを判定する表示書換判定手段と、
前記表示データを表示する第１表示手段と、
前記第１表示手段の表示面を視認できる位置に表示部分を有する第２表示手段と、
を備え、
前記表示データによる表示の書き換えがあった場合に、前記第１表示手段に第１書換情報を表示し、前記第２表示手段に第２書換情報を表示することを特徴とする情報処理システム。
【発明の詳細な説明】
【技術分野】
【０００１】
本発明は、データを表示する端末装置、情報処理方法、端末装置用のプログラム、および、情報処理システムに関する。
【背景技術】
【０００２】
工場における各工程の作業指示に、表示内容を電気的に書き換えることができる電子ペーパが利用されている。例えば、特許文献１には、外部から仕様変更の指示を受けると、対応する作業の内容を記憶部から読み出し、表示部の表示内容を書き換えることによりオンデマンド生産を実現する表示媒体が開示されている。
【先行技術文献】
【特許文献】
【０００３】
【特許文献１】特開２００５−２５３３６号公報
【発明の概要】
【発明が解決しようとする課題】
【０００４】
しかしながら、特許文献１の技術では、表示内容が書き換えられたことを容易に確認することができなかった。
【０００５】
そこで、本発明は上記の問題点等に鑑みて為されたもので、その課題の一例は、表示内容が書き換えられたか否かを容易に認識できる端末装置等を提供することを目的とする。
【課題を解決するための手段】
【０００６】
上記の課題を解決するために、請求項１に記載の発明は、表示データを受信する受信手段と、前記表示データによる表示の書き換えを行うか否かを判定する表示書換判定手段と、前記表示データを表示する第１表示手段と、前記第１表示手段の表示面を視認できる位置に表示部分を有する第２表示手段と、を備え、前記表示データによる表示の書き換えがあった場合に、前記第１表示手段に第１書換情報を表示し、前記第２表示手段に第２書換情報を表示することを特徴とする。
【０００７】
また、請求項２に記載の発明は、請求項１に記載の端末装置において、前記第１表示手段に表示された第１書換情報と、第２表示手段に表示された第２書換情報とが、互いに対応する位置に表示されることを特徴とする。
【０００８】
また、請求項３に記載の発明は、請求項１または請求項２に記載の端末装置において、前記第１表示手段の表示面の外縁部に、前記第２表示手段の表示部分が設置されたことを特徴とする。
【０００９】
また、請求項４に記載の発明は、請求項１から請求項３のいずれか１項に記載の端末装置において、前記第２書換情報を受信する第２書換情報受信手段を更に備えたことを特徴とする。
【００１０】
また、請求項５に記載の発明は、受信手段が、表示データを受信する受信ステップと、表示書換判定手段が、前記表示データによる表示の書き換えを行うか否かを判定する表示書換判定ステップと、第１表示手段が、前記表示データを表示する第１表示ステップと、を含み、前記表示データによる表示の書き換えがあった場合に、前記第１表示手段に第１書換情報を表示し、前記第１表示手段の表示面を視認できる位置に表示部分を有する第２表示手段に第２書換情報を表示することを特徴とする。
【００１１】
また、請求項６に記載の発明は、コンピュータを、表示データを受信する受信手段、前記表示データによる表示の書き換えを行うか否かを判定する表示書換判定手段、前記表示データを表示する第１表示手段、および、前記第１表示手段の表示面を視認できる位置に表示部分を有する第２表示手段として機能させ、前記表示データによる表示の書き換えがあった場合に、前記第１表示手段に第１書換情報を表示し、前記第２表示手段に第２書換情報を表示することを特徴とする。
【００１２】
また、請求項７に記載の発明は、無線機に接続した情報処理装置と、前記無線機を通して交信を行う端末装置と、を備えた情報処理システムであって、前記端末装置が、表示データを前記情報処理装置から受信する受信手段と、前記表示データによる表示の書き換えを行うか否かを判定する表示書換判定手段と、前記表示データを表示する第１表示手段と、前記第１表示手段の表示面を視認できる位置に表示部分を有する第２表示手段と、を備え、前記表示データによる表示の書き換えがあった場合に、前記第１表示手段に第１書換情報を表示し、前記第２表示手段に第２書換情報を表示することを特徴とする。
【発明の効果】
【００１３】
本発明によれば、表示内容が書き換えられたか否かを容易に認識できる。
【図面の簡単な説明】
【００１４】
【図１】本発明の実施形態に係る情報処理システムの概要構成例を示す模式図である。
【図２】図１の情報処理装置の概要構成例を示すブロック図である。
【図３】施設の地図情報の一例を示す模式図である。
【図４】図２の表示情報データベースに記憶された表示状態管理テーブルの一例を示す模式図である。
【図５】図１の端末装置の概要構成例を示すブロック図である。
【図６】図１の端末装置の一例を示す模式図である。
【図７】製造工程の一例の概要を示す模式図である。
【図８】図１の情報処理システムの動作例を示すシーケンス図である。
【図９】通信パケットの一例を示す模式図である。
【図１０】図１の端末装置の表示の一例を示す模式図である。
【図１１】図１の端末装置の表示の一例を示す模式図である。
【図１２】図１の端末装置の表示の一例を示す模式図である。
【図１３】端末装置の第１変形例を示す模式図である。
【図１４】端末装置の第２変形例を示す模式図である。
【発明を実施するための形態】
【００１５】
以下、図面を参照して本発明の実施形態について説明する。なお、以下に説明する実施の形態は、情報処理システムに対して本発明を適用した場合の実施形態である。
【００１６】
［１．情報処理システムの構成および機能の概要］
まず、本発明の一実施形態に係る情報処理システムの構成および概要機能について、図１を用いて説明する。
【００１７】
図１は、本発明の実施形態に係る情報処理システムの概要構成例を示す模式図である。
【００１８】
図１に示すように、情報処理システム１は、所定の範囲の複数の場所に配置された無線機５に接続した情報処理装置１０と、無線機５と通信可能な端末装置２０と、を備える。また、情報処理システム１は、端末装置２０を読み取る読取機７を備えている。
【００１９】
情報処理装置１０と、各無線機５とは、ＬＡＮ（Local Area Network）のようなネットワーク３を通して接続されている。各無線機５と、各端末装置２０とは、電波による近距離無線通信による交信、および、赤外線による光無線データ通信による交信を行う。例えば、各無線機５と各端末装置２０とは、２．４ＧＨｚ帯域の近距離無線通信により、５０ｍ〜１００ｍの範囲の交信を行う。また、各無線機５と各端末装置２０とは、赤外線による光無線データ通信により、交信を行う。なお、各無線機５と各端末装置２０とは、２種類の通信を行えばよく、異なる周波数の電波による通信でもよい。また、ネットワーク３は、例えば、インターネット、専用通信回線（例えば、ＣＡＴＶ（Community Antenna Television）回線）、移動体通信網（基地局等を含む）でもよい。
【００２０】
無線機５は、基地局（アクセスポイント）であり、送信機能と受信機能とを有する。無線機５は、例えば、工場等の施設（所定の範囲の一例）の天井や壁に設置される。端末装置２０が施設内のどこにあっても通信できるように配置されている。
【００２１】
また、無線機５は、赤外線による通信および電波による通信の２種類の通信を端末装置２０と行う。無線機５は、赤外線通信のための赤外線アクセスポイント（赤外線ＡＰ）と、電波による無線通信のための無線アクセスポイント（無線ＡＰ）との２種類ある。赤外線ＡＰと無線ＡＰとは、一体型の無線機５でもよい。また、赤外線ＡＰの無線機５と無線ＡＰの無線機５とは、別体で異なる場所に設置されてもよい。また、赤外線ＡＰの無線機５と、無線ＡＰの無線機５とは、別々のケーブルにより、情報処理装置１０またはネットワーク３と接続するようにしてもよい。
【００２２】
読取機７は、例えば、バーコードリーダ、ＩＣタグリーダである。読取機７は、複数の工程において、例えば、始めの工程に入ってきた端末装置２０を読み取る位置に設置される。
【００２３】
情報処理装置１０は、端末装置２０の位置を推定したり、端末装置２０に表示するデータを送信したりする。
【００２４】
端末装置２０は、物品（端末装置と対応する対象物の一例）に取り付けられたり、物品を運ぶ荷台やコンテナ（端末装置と対応する対象物の一例）に取り付けられたりする。
【００２５】
［２．情報処理装置および各端末装置の構成および機能］
（２．１  情報処理装置１０の構成および機能）
次に、情報処理装置１０の構成および機能について、図２から図４を用いて説明する。
【００２６】
図２は、情報処理装置１０の概要構成例を示すブロック図である。図３は、施設の地図情報の一例を示す模式図である。図４は、表示情報データベースに記憶された表示状態管理テーブルの一例を示す模式図である。
【００２７】
図２に示すように、情報処理装置１０は、通信部１１と、記憶部１２と、表示部１３と、操作部１４と、入出力インターフェース部１５と、システム制御部１６と、を備えている。そして、システム制御部１６と入出力インターフェース部１５とは、システムバス１７を介して接続されている。
【００２８】
通信部１１は、ネットワーク３に接続して、無線機５を介して、端末装置２０との通信状態を制御するようになっている。
【００２９】
記憶部１２（記憶手段の一例）は、例えば、ハードディスクドライブ、シリコンディスクドライブ等により構成されており、オペレーティングシステムおよびサーバプログラム等の各種プログラムや地図情報等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３０】
また、記憶部１２には、地図情報データベース１２ａ（以下「地図情報ＤＢ１２ａ」とする。）、位置情報データベース１２ｂ（以下「位置情報ＤＢ１２ｂ」とする。）、表示情報データベース１２ｃ（以下「表示情報ＤＢ１２ｃ」とする。）等が構築されている。
【００３１】
地図情報ＤＢ１２ａには、フロアマップデータとして、図３に示すような施設３０内における通路３１の配置情報、部屋３２の配置情報、物品を加工したり製造したりする装置３３の配置情報、物品の格納庫３４等の配置情報、無線機５の配置情報が記憶されている。各通路３１には、通路ＩＤが割り当てられ、通路の始点、終点、長さ、幅等が地図情報ＤＢ１２ａに記憶されている。また、各部屋３２、各装置３３、各格納庫３４には、それぞれ、部屋ＩＤ、装置ＩＤ、格納庫ＩＤが割り当てられている。
【００３２】
各装置３３は、製造物の製造の各工程で使用される。製造物は、端末装置２０が取り付けられた荷台４０に搬送される。
【００３３】
また、地図情報ＤＢ１２ａには、端末装置２０を対応させる物品が存在しえない場所を示す存在不可情報、格納庫における物品の数等を示す格納庫情報が、格納庫ＩＤに関連付けられて記憶されている。ここで、存在不可情報は、例えば、エリア３５（例えば、トイレ、更衣室、事務室。施設３０の外側等）、壁等、端末装置２０を対応させる物品が置かれることのない存在不可エリアを示す位置情報である。
【００３４】
ここで、通路３１は、物品等に取り付けられた端末装置２０が移動する移動領域の一例である。格納庫３４は、物品等に取り付けた端末装置２０が停止している停止領域の一例である。エリア３５および壁等は、存在不可能領域の一例である。通路３１のような移動領域、格納庫３４のような停止領域、エリア３５の存在不可能領域は、移動状態に応じて設定される設定領域の一例である。
【００３５】
位置情報ＤＢ１２ｂには、各端末装置２０の位置履歴として、各端末装置２０の位置情報および時刻が、各端末装置２０の端末ＩＤに関連付けられて記憶される。例えば、図３に示すように、施設３０の所定の場所を原点とする座標軸が設定される。また、位置情報ＤＢ１２ｂには、製造物の製造工程に関する情報（例えば、工程番号等）が、各端末装置２０の端末ＩＤに関連付けられた記憶されている。
【００３６】
表示情報ＤＢ１２ｃには、各端末装置２０に表示させる表示情報が記憶されている。例えば、表示情報として、物品の品名、顧客名、仕様、コード、ロット番号、物品に関する画像等が挙げられる。さらに、表示情報として、製造工程に関する指示、製造に関する情報、運搬先等が挙げられる。表示情報ＤＢ１２ｃには、端末ＩＤに関連付けられて、各端末装置２０の表示情報が記憶されている。
【００３７】
また、図４に示すように、表示情報ＤＢ１２ｃには、表示状態管理テーブルとして、端末装置２０に設置された２つのＬＥＤ（Light Emitting Diode）（第２表示手段の一例）の点灯情報が、端末ＩＤに関連付けられて記憶されている。
【００３８】
表示部１３は、例えば、液晶表示素子またはＥＬ（Electro Luminescence）素子等によって構成されている。
【００３９】
操作部１４は、例えば、キーボードおよびマウス等によって構成されている。
【００４０】
入出力インターフェース部１５は、通信部１１等とシステム制御部１６との間のインターフェース処理を行うようになっている。
【００４１】
システム制御部１６は、ＣＰＵ（Central Processing Unit）１６ａ、ＲＯＭ（Read Only Memory）１６ｂ、ＲＡＭ（Random Access Memory）１６ｃ等により構成されている。そして、システム制御部１６は、各端末装置２０の位置情報から各端末装置の移動状態を算出したり、地図情報を参照して、位置情報と移動状態とに応じて、端末装置２０の位置を補正したりする。
【００４２】
（２．２  端末装置２０の構成および機能）
次に、端末装置２０の構成および機能について、図５および図６を用いて説明する。
図５は、端末装置２０の概要構成の一例を示すブロック図である。図６は、端末装置２０の一例を示す模式図である。
【００４３】
図５に示すように、コンピュータとして機能する端末装置２０は、通信部２１と、記憶部２２と、第１表示部２３（第１表示手段の一例）と、第２表示部２４（第２表示手段の一例）と、操作部２５と、入出力インターフェース部２６と、システム制御部２７とを備えている。また、端末装置２０は、小型電池等の電源（図示せず）を備えている。そして、システム制御部２７と入出力インターフェース部２６とは、システムバス２８を介して接続されている。
【００４４】
通信部２１は、無線通信機能を有し、無線機５を通して、情報処理装置１０等と通信を制御する。図６に示すように、通信部２１は、無線モジュール２１ａ、および、赤外線通信モジュール２１ｂ（第２書換情報受信手段の一例）を有する。無線モジュール２１ａは、短距離無線ネットワーク規格により、無線ＡＰの無線機５を介して、情報処理装置１０と通信を行う。また、赤外線通信モジュール２１ｂは、赤外線による光無線データ通信規格により、赤外線ＡＰの無線機５を介して、情報処理装置１０と通信を行う。また、各無線機との交信による電波の受信強度を測定する測定手段の一例として、通信部２１は、各無線機５からの電波の電波受信強度を測定する機能を有する。
【００４５】
記憶部２２は、例えば、フラッシュメモリ等の不揮発性メモリ等からなり、オペレーティングシステム等のプログラム等を記憶する。また、記憶部２２には、端末装置２０自体を示す端末ＩＤが記憶されている。
【００４６】
第１表示部２３（第１表示手段の一例）は、例えば、電子ペーパ用の素子等によって構成されている。第１表示部２３は、マイクロカプセル方式、電子粉流体方式、液晶方式、電気泳動方式等の電子ペーパである。なお、第１表示部２３は、ＥＬ素子等よって構成されてもよい。
【００４７】
図６に示すように、第１表示部２３には、物品の品名、顧客名、仕様、コード、ロット番号、日付、物品に関する画像等が表示される。また、第１表示部２３には、マーク２３ａが表示されている。マーク２３ａは、第１表示部２３の表示面内において、上側に表示されている。マーク２３ａは、第１表示部２３の表示内容が書き換えられる毎に、表示位置が変わる。なお、第１表示部２３の表示内容が書き換えられる毎に、マーク２３ａの形状、色が変わってもよい。また、マーク２３ａが点滅する等、マーク２３ａの態様が変わってもよい。
【００４８】
第２表示部２４（第２表示手段の一例）は、ＬＥＤ素子を有する。図６に示すように、第２表示部２４（ＬＥＤ１）と、第２表示部２４（ＬＥＤ２）とは、第１表示部２３の表示面の外縁部の上方に２箇所に設置されている。ここで、ＬＥＤ１およびＬＥＤ２は、第２表示手段の表示部分の一例である。
【００４９】
また、図６に示すように、第１表示部２３に表示されたマーク２３ａと、第２表示部２４（ＬＥＤ１）とは、対応した位置にある。すなわち、これらが、左右において一致した位置にある。なお、ＬＥＤ素子以外の発光素子でもよい。
【００５０】
操作部２５は、図６に示すように、例えば、操作ボタン等よって構成されている。操作ボタンにより、電源のオン・オフや、次のページ表示、最新の情報の表示等が操作される。
【００５１】
入出力インターフェース部２６は、通信部２１等とシステム制御部２７とのインターフェースである。
【００５２】
システム制御部２７は、例えば、ＣＰＵ２７ａと、ＲＯＭ２７ｂと、ＲＡＭ２７ｃとを有する。システム制御部２７は、ＣＰＵ２７ａが、ＲＯＭ２７ｂや、ＲＡＭ２７ｃや、記憶部２２に記憶された各種プログラムを読み出して実行する。
【００５３】
また、図６に示すように、端末装置２０には、読取機７により読み取られるコード２０aがある。コード２０aは、端末装置２０の端末ＩＤに対応する。なお、端末装置２０は、コード２０aの代わりに、ＩＣタグを内蔵してもよい。
【００５４】
［３．情報処理システム１の動作］
次に、本発明の１実施形態に係る情報処理システム１の動作について図７から図１１を用いて説明する。
【００５５】
図７は、製造工程の一例の概要を示す模式図である。図８は、情報処理システム１の動作例を示すシーケンス図である。図９は、通信パケットの一例を示す模式図である。図１０から図１２は、端末装置２０の表示の一例を示す模式図である。
【００５６】
まず、図７に示すように、端末装置２０が取り付けられた荷台４０が、第１の製造工程の場所に搬入される前に、表示データの書き換え（更新）のため、読取機７により端末装置２０のコード２０ａが読み取られる。そして、情報処理装置１０は、端末装置２０の端末ＩＤを取得する。情報処理装置１０は、表示データの書き換え（更新）のタイミングを計るため、端末装置２０のコード２０ａを読み取る。
【００５７】
情報処理システム１は、ＬＥＤの状態を確認する（ステップＳ１）。具体的に、情報処理装置１０は、書き換え対象の端末装置２０の第２表示部２４において、どちらのＬＥＤが点灯しているかの状態を確認するために、取得した端末装置２０の端末ＩＤに基づき、表示情報ＤＢ１２ｃの表示状態管理テーブルを参照して、第２表示部２４の点灯情報を取得する。
【００５８】
次に、情報処理システム１は、赤外線通信によりＬＥＤ点灯命令を送信する（ステップＳ２）。具体的に、情報処理装置１０は、赤外線ＡＰの無線機５を介して、端末ＩＤに対応する端末装置に、第２表示部２４において、どのＬＥＤを点灯させるかのＬＥＤ点灯命令を送信する。ここで、ＬＥＤ点灯命令は、図９に示すように、端末装置２０を呼び出すための宛先ＩＤ（端末ＩＤ）と、送信元ＩＤと、ＬＥＤ点灯の命令コードと、データから構成される通信パケットにより送信される。なお、このデータは、第２表示部２４のどのＬＥＤを点灯させるかのデータ（表示データの一例）である。
【００５９】
次に、情報処理システム１は、赤外線通信によりＬＥＤ点灯命令を受信する（ステップＳ３）。具体的に、呼び出された端末装置２０は、情報処理装置１０からのＬＥＤ点灯命令を、赤外線通信モジュール２１ｂを介して受信する。
【００６０】
このように、端末装置２０は、表示データを受信する受信手段の一例として機能する。また、端末装置２０は、第２書換情報を受信する第２書換情報受信手段の一例として機能する。
【００６１】
次に、情報処理システム１は、命令コードがＬＥＤ点灯命令であるか否かを判定する（ステップＳ４）。具体的に、端末装置２０は、通信パケットの命令コードを読み出し、ＬＥＤ点灯命令であるか否かを判定する。
【００６２】
このように、端末装置２０は、前記表示データによる表示の書き換えを行うか否かを判定する表示書換判定手段の一例として機能する。
【００６３】
命令コードがＬＥＤ点灯命令である場合（ステップＳ４；ＹＥＳ）、情報処理システム１は、ＬＥＤ点灯処理を行う（ステップＳ５）。具体的に、端末装置２０は、通信パケットの命令コードに続くデータにより、図１０に示すように、指定されたＬＥＤ（ＬＥＤ２４（ＬＥＤ２））を点灯し、他のＬＥＤ（ＬＥＤ２４（ＬＥＤ１））を消灯する。すなわち、表示の書き換えをする。
【００６４】
次に、情報処理システム１は、応答を送信する（ステップＳ６）。具体的に、端末装置２０は、ＬＥＤ点灯処理が終了した旨の情報を、情報処理装置１０に、赤外線通信モジュール２１ｂの赤外線通信により送信する。なお、端末装置２０は、無線モジュール２１ａの無線通信により、ＬＥＤ点灯処理が終了した旨の情報を送信してもよい。
【００６５】
また、命令コードがＬＥＤ点灯命令でない場合（ステップＳ４；ＮＯ）、端末装置２０は、応答送信をして、処理を終了する。
【００６６】
次に、情報処理システム１は、応答を受信する（ステップＳ７）。具体的に、情報処理装置１０は、ＬＥＤ点灯処理が終了した旨の情報を、端末装置２０から赤外線通信により送信する。
【００６７】
次に、情報処理システム１は、点灯が成功したか否かを判定する（ステップＳ８）。具体的に、情報処理装置１０は、一定時間に応答があるか無いかを判定する。
【００６８】
点灯が成功した場合（ステップＳ８；ＹＥＳ）、表示状態管理テーブルの更新を行う（ステップＳ９）。具体的に、情報処理装置１０は、表示情報ＤＢ１２ｃの表示状態管理テーブルにおける、書き換え対象の端末ＩＤのＬＥＤ点灯状態を更新する。
【００６９】
次に、情報処理システム１は、画面書換命令を無線送信する（ステップＳ１０）。具体的に、情報処理装置１０は、無線ＡＰの無線機５を介して、端末ＩＤに対応する端末装置に、書き換えの表示データを含む画面書換命令を送信する。ここで、画面書換命令は、図９に示すように、端末装置２０を呼び出すための宛先ＩＤ（端末ＩＤ）と、送信元ＩＤと、画面書換命令の命令コードと、表示データから構成される通信パケットにより送信される。
【００７０】
次に、情報処理システム１は、無線通信により画面書換命令を受信する（ステップＳ１１）。具体的に、呼び出された端末装置２０は、情報処理装置１０からの画面書換命令を、無線モジュール２１ａを介して受信する。
【００７１】
このように、端末装置２０は、表示データを受信する受信手段の一例として機能する。
【００７２】
次に、情報処理システム１は、画面書換命令であるか否かを判定する（ステップＳ１２）。具体的に、端末装置２０は、通信パケットの命令コードを読み出し、画面書換命令であるか否かを判定する。
【００７３】
このように、端末装置２０は、前記表示データによる表示の書き換えを行うか否かを判定する表示書換判定手段の一例として機能する。
【００７４】
書換命令である場合（ステップＳ１２；ＹＥＳ）、情報処理システム１は、画面書換処理を行う（ステップＳ１３）。具体的に、端末装置２０は、通信パケットの命令コードに続くデータを表示データとして、第１表示部２３に表示する。例えば、図１０に示すように、第１表示部２３の表示内容が書き換わった画像が表示される。ロット番号、指示内容、および、マーク２３ａの位置が変更されている。
【００７５】
図１０に示すように、画面が書き換わっても、第２表示部２４（ＬＥＤ２）と、第１表示部２３に表示されたマーク２３ａとが互いに対応した位置にある。この場合、表示に異常が無いとする。このように、第１表示手段に表示された第１書換情報と、第２表示手段に表示された第２書換情報とが、互いに対応する位置に表示される。
【００７６】
一方、無線モジュール２１ａの無線通信にトラブルがあり画面書換が失敗した場合や、第１表示部２３自体に故障があり画面書換が失敗した場合や、システム制御部２７と第１表示部２３との間で断線等の故障があり画面書換が失敗した場合、または、電力が足りなく画面書換が失敗した場合、図１１に示すように、第１表示部２３に表示されたマーク２３ａの位置が変わらない。この場合、第２表示部２４のＬＥＤの点灯位置だけが変更されるので、マーク２３ａの位置が対応せず、目視ですぐに何か異常があったと判明する。
【００７７】
また、赤外線通信モジュール２１ｂの赤外線通信にトラブルがある場合や、第２表示部２４自体に故障がある場合や、システム制御部２７と第２表示部２４との間で断線等の故障がある場合、または、電力が足りない場合、図１２に示すように、第２表示部２４のＬＥＤの点灯位置が変わらず、第１表示部２３に表示されたマーク２３ａの位置が変わる。このように、マーク２３ａの位置だけが変更されるので、第２表示部２４のＬＥＤの点灯位置の位置が対応せず、目視ですぐに何か異常があったと判明する。
【００７８】
次に、情報処理システム１は、応答を送信する（ステップＳ１４）。具体的に、端末装置２０は、画面書換処理が終了した旨の情報を、情報処理装置１０に、無線モジュール２１ａの無線通信により送信する。なお、端末装置２０は、赤外線通信モジュール２１ｂの赤外線通信により、画面書換処理が終了した旨の情報を送信してもよい。
【００７９】
また、命令コードが画面書換命令でない場合（ステップＳ１２；ＮＯ）、端末装置２０は、応答送信をして、処理を終了する。
【００８０】
次に、情報処理システム１は、応答を受信する（ステップＳ１５）。具体的に、情報処理装置１０は、画面書換処理が終了した旨の情報を、端末装置２０から無線通信により送信する。
【００８１】
次に、情報処理システム１は、画面書換が成功したか否かを判定する（ステップＳ１６）。具体的に、情報処理装置１０は、一定時間に応答があるか無いかを判定する。
【００８２】
点灯が成功しなかった場合（ステップＳ８；ＮＯ）、情報処理システム１は、エラー通知する（ステップＳ１７）。また、画面書換が成功しなかった場合（ステップＳ１６；ＮＯ）、情報処理システム１は、エラー通知する（ステップＳ１７）。具体的に、情報処理装置１０は、一定時間応答がない場合、タイムアウトとし、表示部１３等にエラーメッセージを表示して、管理者にエラーを通知する。
【００８３】
図７に示すように、端末装置２０が取り付けられた荷台４０が、第１の製造工程の場所に搬入される前に、搬入者は、端末装置２０の第１表示部２３のマーク２３ａの位置と、第２表示部２４のＬＥＤの点灯位置を見比べて、端末装置２０の表示が書き換わっているか否かを確認する。
【００８４】
確認後、異常がなければ、各工程の装置３３に、端末装置２０が取り付けられた荷台４０を移動させ、装置３３において、製造物Ｐを製造していく。製造された製造物Ｐは、搬出され、端末装置２０が取り付けられた荷台４０は、第１の製造工程の場所に戻り、読取機７により端末装置２０のコード２０ａが読み取られる。
【００８５】
以上、本実施形態によれば、受信した表示データによる表示の書き換えを行うか否かを判定し、表示データによる表示の書き換えがあった場合に、第１表示部２３にマーク２３ａ（第１書換情報）を表示し、第１表示部２３の表示面を視認できる位置にある第２表示部２４に、第２書換情報を表示することにより、第１書換情報と、第２書換情報とが比較可能な位置に表示され、表示内容が書き換えられたか否かを容易に認識できる。
【００８６】
複数系統の表示を行うことにより、一方が故障しても、表示内容が書き換えられたか否かを容易に認識できる。特に、電子ペーパは、電源が切れても画面が残っているので、目視で異常が判明しにくいが、別系統の表示として、ＬＥＤを点灯させる第２表示部２４を備え、第２書換情報を表示することにより、表示内容が書き換えられたか否かを容易に認識できる。
【００８７】
また、第１表示部２３に表示されたマーク２３ａと、第２表示部２４に表示された第２書換情報（ＬＥＤの表示の切り替え、表示位置）とが、互いに対応する位置に表示される場合、対応関係により、異常の有無がチェックしやすく、見逃しが少なくなる。
【００８８】
第１表示部２３の表示面の外縁部に、第２表示部２４の表示部分（ＬＥＤ）が設置された場合、第１表示部２３の表示面に表示されたマーク２３ａと、第２表示部２４の表示部分とが、より比較しやすくなり、表示内容が書き換えられたか否かを容易に認識できる。特に、第１表示部２３の表示面の外縁部に近い位置にマーク２３ａを表示させる場合、より比較しやすくなる。
【００８９】
また、第２書換情報を受信する第２書換情報受信手段を更に備えた場合、一方の通信上のトラブルがあった場合でも、異常を検出できる。
【００９０】
次に、端末装置２０の変形例について、図１３および図１４を用いて説明する。
図１３は、端末装置の第１変形例を示す模式図である。図１４は、端末装置の第２変形例を示す模式図である。
【００９１】
図１３に示すように、第２表示部２４の表示部分を３つ以上にしてもよい。例えば、工程毎に、工程番号に対応する位置のＬＥＤを点灯する。第１表示部２３のマーク２３ａの表示位置も、工程番号に合わせて移動させる。
【００９２】
また、図１４に示すように、第１表示部２３のマーク２３ａを工程番号等の番号を示すようにしてもよい。このとき、第２表示部２４の表示部分の下に、工程番号を記載しておくと、マーク２３ａの工程番号と比較しやすくなる。
【００９３】
なお、本実施形態では、情報処理装置１０は、第２表示部２４用のＬＥＤ点灯命令を、赤外線通信により送信し、第１表示部用の画面書換命令を、無線通信により送信したが、先に無線通信により画面書換命令を送信した後、赤外線通信によりＬＥＤ点灯命令を送信してもよい。
【００９４】
また、第１表示部用の画面書換命令および第２表示部２４用のＬＥＤ点灯命令を、同じ通信方式により送信してもよい。
【００９５】
また、第２表示部２４は、ＬＥＤの代わりに、セグメントディスプレイにより、数字や記号を表示してもよい。
【００９６】
また、第２表示部２４は、ＬＥＤではなく、第１表示部２３と同様に、電子ペーパでもよい。この場合、２枚の電子ペーパを並べて、それぞれ、第１書換情報（マーク）と、第２書換情報（マーク）とを表示させ、マークの表示位置が一致するか否かで、確認できるようにする。
【００９７】
また、画面書換が失敗した場合、それを発見した作業者が、端末装置２０の所定のボタンを押すと、端末装置２０が、情報処理装置１０に、画面書換が失敗の旨の情報を送信してもよい。そして、情報処理装置１０から、最新の表示内容を問い合わせて再表示をするようにしてもよい。
【００９８】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００９９】
１：情報処理システム
５：無線機
１０：情報処理装置
１２ｃ：表示情報ＤＢ
２０：端末装置
２１：通信部（受信手段）
２１ａ：無線モジュール（受信手段）
２１ｂ：赤外線通信モジュール（受信手段、第２書換情報受信手段）
２３：第１表示部（第１表示手段）
２３ａ：マーク（第１書換情報）
２４：第２表示部（第２表示手段）
２７：システム制御部
【図１】
2015018322.tif 000003
【図２】
2015018322.tif 000004
【図３】
2015018322.tif 000005
【図４】
2015018322.tif 000006
【図５】
2015018322.tif 000007
【図６】
2015018322.tif 000008
【図７】
2015018322.tif 000009
【図８】
2015018322.tif 000010
【図９】
2015018322.tif 000011
【図１０】
2015018322.tif 000012
【図１１】
2015018322.tif 000013
【図１２】
2015018322.tif 000014
【図１３】
2015018322.tif 000015
【図１４】
2015018322.tif 000016